(57)【要約】【課題】  本発明は、偽造防止効果を必要とするセキュリティ印刷物である銀行券、パスポ−ト、有価証券、身分証明書、カ−ド、通行券等の分野において、正反射光下で画像が変化する潜像印刷物において、反射層ごと剥離して再利用することを防止する。【解決手段】基材上の少なくとも一部に印刷画像領域を備え、印刷画像領域は、反射層の上に、蒲鉾状要素群と潜像要素群がいずれかを上にして重なって成り、正反射光下における特定の観察角度において潜像画像が視認され、かつ、特定の観察角度が変化したとき、潜像画像が異なる画像へと変化及び／又は動的に視認される潜像印刷物において、蒲鉾状要素群が基材と反射層の境界の少なくとも一部にまたがって重なることで、印刷画像領域における反射層ごとの剥離を防止する機能を備えた潜像印刷物。【選択図】  図１
2019166710.tif 000002
【特許請求の範囲】
【請求項１】
基材上の少なくとも一部に印刷画像領域を備え、前記印刷画像領域は、反射層の上に、蒲鉾状要素群と潜像要素群がいずれかを上にして重なって成り、正反射光下における特定の観察角度において潜像画像が視認され、かつ、前記特定の観察角度が変化したとき、前記潜像画像が異なる画像へと変化及び／又は動的に視認される潜像印刷物において、
前記反射層は、明暗フリップフロップ性及びカラーフリップフロップ性の少なくともいずれか一方の光学特性を有し、
前記蒲鉾状要素群は、光透過性を有し、盛り上がりを有する蒲鉾状要素が所定のピッチで配置されて成り、
前記潜像要素群は、正反射光下において前記反射層と異なる色彩を有し、基画像を分割及び／又は圧縮して形成された潜像要素が、前記所定のピッチ及び／又は前記所定のピッチと異なるピッチで複数配置されて成り、
前記蒲鉾状要素群が前記基材と前記反射層の境界の少なくとも一部にまたがって重なることで、前記印刷画像領域における前記反射層ごとの剥離を防止する機能を備えたことを特徴とする剥離防止機能を備えた潜像印刷物。
【請求項２】
光透過性を有する前記反射層の下層に更に可視画像を備えたことで、
拡散反射光下において、前記可視画像が視認され、かつ、正反射光下において、前記可視画像が消失することを特徴とする請求項１記載の剥離防止機能を備えた潜像印刷物。
【請求項３】
少なくとも一つの前記潜像要素群が、前記基材と前記反射層の境界の少なくとも一部にまたがって形成された前記蒲鉾状要素群のまたがっている箇所の上に配置されて成ることを特徴とする請求項１又は請求項２記載の剥離防止機能を備えた潜像印刷物。
【請求項４】
前記潜像要素群は、前記第１の方向に対して前記蒲鉾状要素の要素幅の中心の垂直軸を境に、一方に前記潜像要素と、他方に前記潜像要素をミラー反転した反転潜像要素が配置された組合せ要素が複数配置されて成り、
正反射光下における前記特定の観察角度が変化したとき、前記反射層と前記基材の境界においても前記潜像画像が同期して動くことを特徴とする請求項３記載の剥離防止機能を備えた潜像印刷物。
【請求項５】
前記反射層は、正反射時の明度及び／又は彩度が４００以上であり、かつ、前記明度及び／又は前記彩度の光の入射角に対する反射角の半値幅が２０°未満であることを特徴とする請求項１から請求項４までのいずれか１項記載の剥離防止機能を備えた潜像印刷物。
【発明の詳細な説明】
【技術分野】
【０００１】
本発明は、偽造防止効果を必要とするセキュリティ印刷物である銀行券、パスポ−ト、有価証券、身分証明書、カ−ド、通行券等の分野において、正反射光下で画像が変化する印刷画像領域を剥離して再使用する偽造を防止した潜像印刷物に関する。
【背景技術】
【０００２】
複数の画像が切り替わる画像のチェンジ効果や、画像が動いて見える動画効果は、人目をひきやすく、偽造することが困難であることから、近年、セキュリティ印刷物の真偽判別要素として多く用いられる傾向にある。このチェンジ効果を備えた代表的な技術は、ホログラムであり、銀行券、パスポート等の最高のセキュリティが要求されるセキュリティ印刷物にも貼付されて広く用いられている。
【０００３】
しかし、ホログラムは、優れた偽造防止技術であるものの、作製に専用の装置が必要であり、印刷によって作製できる偽造防止技術と比較するとコストが掛かる。そこで本出願人は、一般的で、かつ、比較的安価な材料及び簡単な印刷手段を使用しながら、正反射光下の特定の観察角度において、印刷物中の特定部位における人の目に認識される情報が、正反射光下で観察角度を変化させることによって、ホログラムのように全く別の情報にチェンジしたり、出現した画像が動いて見える光学的変化技術に係る発明を既に出願している（例えば、特許文献１、特許文献２、特許文献３及び特許文献４参照）。
【０００４】
また、剥離防止を目的として、ＯＶＤ箔等の回折構造をまたいでエンボス又は印刷による凹凸構造を施した印刷物が開示されている（特許文献５参照）。
【先行技術文献】
【特許文献】
【０００５】
【特許文献１】特開第２０１６−２０３４５８号公報
【特許文献２】特開第２０１６−５５４８０号公報
【特許文献３】特開第２０１６−１０７４６７号公報
【特許文献４】特開第２０１７−１４４５５８号公報
【特許文献５】特許第３０５３２０９号公報
【発明の概要】
【発明が解決しようとする課題】
【０００６】
特許文献１から特許文献４までの従来の技術は、いずれも特定の光学特性を有する反射層の上に、蒲鉾状の盛り上がりを有する蒲鉾状要素を複数配置して形成した画像を重ね、更に潜像要素を配置して形成した複数の画像を含んだ潜像画像を重ね合わせて形成する技術であって、正反射光下で潜像画像に含まれる複数の画像が出現し、観察角度を変化させることで異なる画像へとチェンジしたり、出現した画像が動いたり、色彩が変化する等の効果を実現した技術である。
【０００７】
しかし、特許文献１から特許文献４までの技術は、いずれも反射層を必要とする。この反射層に要求される光学特性として、正反射時に極めて高い明度、彩度に達する必要があるため、インキを用いた印刷では、反射層を形成するのは容易ではない。そのため、蒸着膜や干渉層を有したフィルム、ＯＶＤ等の機能性材料を用紙に貼付して反射層とすることが一般的である。しかし、基材が紙であって、反射層がプラスティックや金属等である場合、それぞれの物性の違いから、特殊な手段を用いることで反射層ごと基材から容易に剥離される可能性がある。場合によっては、剥離された偽造防止技術は、別の紙基材に貼付して再使用されるおそれがある。本来、一旦基材上に形成された偽造防止技術は、偽造者が剥離を試みた場合、剥離不可能であるか、剥離の時点で完全に破壊されてしまうか、その機能が損なわれ、再使用不可能でなければならない。
【０００８】
特許文献５は、ＯＶＤ箔等の回折構造をまたいでエンボス又は印刷による凹凸構造を施して剥離を困難にした偽造防止技術である。しかし、ＯＶＤ箔を機能させることを考えると、本来エンボス加工や印刷自体は、必要のない作業である。また、ＯＶＤ箔は、表面に凹凸構造を有していたり、厚さの中に粗密の情報が含まれているため、エンボス加工をしたり、上に印刷を施すことでＯＶＤ箔の本来の性能を低下させてしまう。このように、特許文献５の技術は、ＯＶＤ箔の剥離を防止する目的を達するために、本来必要のないエンボス加工や印刷という工程を増やした上、本来のＯＶＤ箔の性能を低下させる懸念があるという問題があった。
【０００９】
本発明は、上記課題の解決を目的とするものであり、プラスティックや金属を貼付して形成する反射層を有した偽造防止技術において、反射層ごとの剥離を防ぎ、偽造者による再使用を不可能とした潜像印刷物を提供する。また、その剥離を防ぐための構成も、元々の偽造防止技術を構成する上で必須の構造を利用するものであり、剥離防止策のために偽造防止技術本来の性能が低下することがない潜像印刷物を提供する。
【課題を解決するための手段】
【００１０】
本発明は、基材上の少なくとも一部に印刷画像領域を備え、印刷画像領域は、反射層の上に、蒲鉾状要素群と潜像要素群がいずれかを上にして重なって成り、正反射光下における特定の観察角度において潜像画像が視認され、かつ、特定の観察角度が変化したとき、潜像画像が異なる画像へと変化及び／又は動的に視認される潜像印刷物において、反射層は、明暗フリップフロップ性及びカラーフリップフロップ性の少なくともいずれか一方の光学特性を有し、蒲鉾状要素群は、光透過性を有し、盛り上がりを有する蒲鉾状要素が所定のピッチで配置されて成り、潜像要素群は、正反射光下において反射層と異なる色彩を有し、基画像を分割及び／又は圧縮して形成された潜像要素が、所定のピッチ又は所定のピッチと異なるピッチで配置されて成り、蒲鉾状要素群が基材と反射層の境界の少なくとも一部にまたがって重なることで、印刷画像領域における反射層ごとの剥離を防止する機能を備えたことを特徴とする剥離防止機能を備えた潜像印刷物である。
【００１１】
また、本発明の剥離防止機能を備えた潜像印刷物は、光透過性を有する反射層の下層に更に可視画像を備えたことで、拡散反射光下において、可視画像が視認され、かつ、正反射光下において、可視画像が消失することを特徴とする。
【００１２】
また、本発明の剥離防止機能を備えた潜像印刷物は、少なくとも一つの潜像要素群が、基材と反射層の境界の少なくとも一部にまたがって形成された蒲鉾状要素群のまたがっている箇所の上に配置されて成ることを特徴とする。
【００１３】
また、本発明の剥離防止機能を備えた潜像印刷物は、蒲鉾状要素の長手方向の中心を境に、一方に潜像要素と、他方に潜像要素をミラー反転した反転潜像要素が配置された組合せ要素が複数配置されて成り、正反射光下における特定の観察角度が変化したとき、反射層と基材の境界においても潜像が同期して動くことを特徴とする。
【００１４】
さらに、本発明の剥離防止機能を備えた潜像印刷物は、反射層が正反射時の明度及び／又は彩度が４００以上であり、かつ、明度及び／又は彩度の光の入射角に対する反射角の半値幅が２０°未満であることを特徴とする。
【発明の効果】
【００１５】
本発明の剥離防止機能を備えた潜像印刷物（以下「潜像印刷物」という。）は、従来技術同様に反射層を必要とするが、反射層と用紙の境界にスクリーン印刷で形成したスクリーン画線の集合体である蒲鉾状要素群が重なる。仮に、偽造者が反射層からの剥離を試みても、反射層と基材の境界は、蒲鉾状要素群によって被覆されており、蒲鉾状要素群は、インキ樹脂を主成分として基材と反射層の両方にまたがって密着及び硬化しているため、剥離が困難である。なお、本明細書中でいう「反射層と基材の境界」とは、反射層と基材のＺ方向の接着面ではなく、反射層と基材のＸＹ方向の平面的な境目を指す。
【００１６】
また、反射層と基材の境界部ではなく、蒲鉾状要素群からの剥離を試みた場合でも、蒲鉾状要素群が画線（蒲鉾状要素）と非画線の集合であり、画線が基材に浸透して密着しているため、必ず一部の画線が脱落し、破壊なく全体を剥離することができない。そのため、いずれの方法で本発明の潜像印刷物を基材から剥離しようと試みても、剥離できないか、あるいは剥離しても再使用することが困難となる。
【００１７】
本発明における剥離防止策は、潜像印刷物を形成するために本来必要である蒲鉾状要素群が担うため、コストや手間が増えることがない。また、蒲鉾状要素群を用いて剥離防止策を施すために、潜像の視認性、動画効果等の品質に悪影響を与えることがない。
【００１８】
本発明の潜像印刷物は、レンチキュラー、マイクロレンズアレイ等のレンズ効果を用いて画像のチェンジ効果を成す一般的な技術と比較して、１０分の１以下の厚みで形成できる。また、作製に当たっては、ホログラムのように専用の作製装置や機械を必要とせず、紙を基材として、一般的な貼付装置と印刷用インキと既存の印刷機を用いることで作製可能であり、コストパフォーマンスに優れる。
【図面の簡単な説明】
【００１９】
【図１】（ａ）は、本発明における潜像印刷物の正面図を示し、（ｂ）は、側面図を示す。
【図２】本発明における潜像印刷物の基本的な構成の概要を示す。
【図３】本発明における反射層の構成の一例を示す。
【図４】本発明における蒲鉾状要素群を示す。
【図５】本発明における潜像要素群を示す。
【図６】本発明における層構成を示す。
【図７】本発明における潜像印刷物の効果を示す。
【図８】本発明の反射層と蒲鉾状要素群の構成例を示す。
【図９】本発明における潜像要素群を示す。
【図１０】本発明における潜像印刷物の効果を示す。
【図１１】本発明における潜像印刷物の層構成の一例を示す。
【図１２】本発明における潜像印刷物の効果を示す。
【図１３】本発明における潜像印刷物の構成の一例を示す。
【図１４】本発明における潜像印刷物の効果を示す。
【図１５】本発明の反射層の有無における潜像発現の原理の違いを示す。
【図１６】本発明の反射層の有無における潜像としてサンプリングされる方向の違いを示す。
【図１７】本発明における潜像要素群を示す。
【図１８】本発明の潜像印刷物の効果を示す。
【図１９】反射層に要求される光学特性の一例を示す。
【発明を実施するための形態】
【００２０】
本発明を実施するための形態について、図面を参照して説明する。しかしながら、本発明は、以下に述べる実施するための形態に限定されるものではなく、特許請求の範囲記載における技術的思想の範囲内であれば、その他の様々な実施の形態が含まれる。
【００２１】
（第一の実施の形態）
図１に、本発明における潜像印刷物（１）を示す。図１（ａ）に示すのは、潜像印刷物(１)の正面図であり、図１（ｂ）に示すのは、潜像印刷物（１）のＡ―Ａ´ラインにおける断面図である。潜像印刷物（１）は、基材（２）の上に、印刷画像領域（３）が形成されて成る。基材（２）は、印刷時にスクリーンインキが浸透する作用を有するものであれば材質は問わない。ただし、基材（２）の材質として最も望ましいのは、インキの浸透性が高く、印刷適性も高い紙である。この場合、紙であれば上質紙であってもコート紙であってもアート紙であってもよい。印刷画像領域（３）は、いかなる色彩でもよく、透明や半透明であっても問題ない。また、基材（２）の大きさについても、特に制限はない。
【００２２】
本発明の印刷画像領域（３）の構成の概要を図２に示す。印刷画像領域（３）は、少なくとも反射層（４）、蒲鉾状要素群（５）及び潜像要素群（６）を備える。反射層（４）は、光を強く反射する特性を備え、基材（２）上に貼付され、基材（２）と密着している必要がある。蒲鉾状要素群（５）は、盛り上がりを有する要素の集合によって成り、主として印刷で形成される。潜像要素群（６）は、正反射光下で出現する潜像画像の元となる画像要素であり、主として蒲鉾状要素群（５）と同じく印刷で形成される。引き続き、反射層（４）、蒲鉾状要素群（５）、潜像要素群（６）について具体的に説明する。
【００２３】
まず、反射層（４）について説明する。反射層（４）の形状は、任意の形状を取り得る。第一の実施の形態では、説明を簡潔にするため、単純な菱形の形状を例として説明するが、より複雑な構成としたほうが、剥離時に破壊が生じやすい。例えば、図３（ａ）に示す星型のように、形状を複雑にすることが意匠の面でも剥離対策としても望ましい。また、図３（ｂ）、（ｃ）及び（ｄ）に示すように、反射層（４）内部に複雑な切れ目を配すると、剥離時に切れ目に沿って分断されて反射層（４）が破壊され、再使用が一層難しくなるため、より望ましい。
【００２４】
反射層（４）は、正反射時に強く光を反射して明度が上がる、いわゆる明暗フリップフロップ性か、あるいは、正反射時に色相が変化する、いわゆるカラーフリップフロップ性の少なくともいずれか一方の光学特性を備える必要がある。
【００２５】
明暗フリップフロップ性は、金属箔、透明フィルム、金属フィルム、金属テープ、樹脂、プラスティック等が備える。一方のカラーフリップフロップ性を備えた材料としては、干渉フィルム、ホログラムフィルム等が存在する。例えば、干渉フィルムは、拡散反射光下で無色透明であるが、正反射光下で特定の干渉色を発する。このように、カラーフリップフロップ性を備えた反射層（４）は、正反射光下で色相自体が変化する。また、反射層（４）は、光を拡散することなく、入射した光の角度と逆方向の同じ角度近傍の極めて狭い角度範囲のみに光を反射する光学特性を有することが望ましい。
【００２６】
反射層（４）に要求される光学特性をより具体的に説明すると、反射層（４）の正反射時の最大明度及び／又は最大彩度は、４００以上であれば、入射した光を十分に反射できるので望ましい。また、光の入射角を固定して受光角度を変化させた場合、反射層（４）の明度及び／又は彩度の半値幅（ＦＷＨＭ：ｆｕｌｌ  Ｗｉｄｔｈ  ａｔ  ｈａｌｆ  ｍａｘｉｍｕｍ）は、２０°未満、より望ましくは、１０°未満であれば、入射した光を反対側に角度を広げ過ぎずに反射できる。
【００２７】
続いて、蒲鉾状要素群（５）について説明する。蒲鉾状要素群（５）の形状も反射層（４）同様に任意の形状を取り得る。ただし、反射層（４）を基準に考えると、蒲鉾状要素群（５）の少なくとも一部は、反射層（４）の上に重なる重畳領域を有する必要があり、加えて、反射層（４）と基材（２）の境界を越えて反射層（４）の外側の基材（２）にまではみ出した非重畳領域も同時に有する必要がある。なお、反射層（４）と蒲鉾状要素群（５）のそれぞれの望ましい形状の具体的な関係については、後述する。
【００２８】
蒲鉾状要素群（５）は光透過性を有する必要がある。これは、入射光が蒲鉾状要素群（５）を透過して反射層（４）に達しなければならないからである。光透過性を有するなら特定の色彩で着色されていてもよい。ただし、反射層（４）に入射する光が最も強く、潜像の視認性が最も高くなるのは、蒲鉾状要素群（５）が透明な場合であるため、色彩デザインと効果のバランスを考えて設計する必要がある。
【００２９】
図４に蒲鉾状要素群（５）の構成の一例を示す。蒲鉾状要素群（５）は、盛り上がりを有した蒲鉾形状の第１の要素幅（Ｗ１）の蒲鉾状要素（７）が、所定のピッチ（Ｐ１）で第１の方向（Ｓ１）に規則的に配置されて成る。なお、本明細書において、「規則的に配置する」とは、要素を一定の方向である第１の方向（Ｓ１）に所定のピッチで連続して配置することをいう。第一の実施の形態における蒲鉾状要素（７）は、画線であって、断面が蒲鉾状の形状を有しているが、この形状に限定されるわけではない。蒲鉾状要素（７）の形状は、画線に限るものではなく、画素であってもよい。より具体的には、立体的な曲面形状、すなわち盛り上がりを有する構造であって、かつ、少なくとも第１の方向（Ｓ１）に対して左右対称な形状であれば、いかなる形状であってもよい。盛り上がりを有する円形の画素のみならず、半楕円球、蒲鉾形状等の一定の曲率を持った左右対称な形状、三角柱、五角柱、六角柱等の多角柱等の立体的な曲面形状を有し、平面形状が円形状、楕円状等の曲線を有する形状、三角形、五角形、六角形等の多角形等であってもよい。以下、蒲鉾状要素（５）を画線として形成した例で説明する。
【００３０】
以上のような構成の蒲鉾状要素群（５）を、盛り上がりを形成できる印刷方式によって形成する。正反射光下で出現する潜像に一定の視認性を確保するためには、蒲鉾状要素（７）の盛り上がりの高さは、少なくとも３μｍ以上が必要であるため、スクリーン印刷、凹版印刷等で形成することが望ましいが、グラビア印刷、フレキソ印刷、凸版印刷、ＩＪＰ等であっても、この程度の画線の盛り上がりの高さを形成することは可能である。また、盛り上がりの高さの上限に関しては、特に制限はないが、大量に積載した場合の安定性や耐摩擦性、流通適性等を考慮して１ｍｍ以下とする。以上が、蒲鉾状要素群（５）の説明である。
【００３１】
続いて、潜像要素群（６）について図５を用いて説明する。なお、図５に示す潜像要素群（１２）は、特許第５２００２８４号公報に記載の方法により作成される例について説明するが、本発明における潜像要素群（１２）の構成は、図５に示す例に限定されるものではなく、他の潜像要素群（１２）の構成については、後述する。
【００３２】
図５に潜像要素群（６）の一例の構成について示す。潜像要素群（６）は、一定の第２の要素幅（Ｗ２）の潜像要素（９）が第１の方向（Ｓ１）に所定のピッチ（Ｐ１）と同じ又は所定のピッチ（Ｐ１）と異なるピッチ（Ｐ２）で複数配置されて成る。なお、図５では所定のピッチ（Ｐ１）と同じピッチで形成した例となっている。第一の実施の形態における潜像要素群（６）は、潜像画像（１２）として出現させたいと意図する基画像（８）を一定の幅で切り出して圧縮することで作製する。基画像（８）から潜像要素群（６）を作製する具体的な作製方法については、特許第５２００２８４号公報に記載の方法を用いる。
【００３３】
それぞれの潜像要素（９）は、盛り上がりが必須ではなく、このため、いかなる印刷方式で形成してもよい。生産性を考えれば、オフセット印刷で形成することが最も望ましい。正反射光下で潜像要素群（６）中の情報の一部を可視化するために、潜像要素（９）は、正反射時に反射層（４）との間に色差を生じる必要があり、少なくとも正反射時の色彩が前述の反射層（４）の正反射時の色彩と異なっている必要がある。また、潜像画像（１２）の視認性をより高めたい場合には、潜像要素（９）に高い光遮断性を付与してもよい。潜像要素（９）を印刷する印刷インキに二酸化チタンや酸化アルミのような光遮断性の高い機能性材料を配合すると、より高い効果を得ることができる。
【００３４】
また、潜像要素群（６）を拡散反射光下で不可視としたい場合には、下地の反射層（４）、若しくは基材（２）の色彩と同じ色彩とするか、又は無色透明若しくは半透明に形成すればよい。透明や半透明なインキで形成する場合、品質管理を容易にするために、僅かに着色顔料を配合してインキを着色したり、透明インキに蛍光顔料を配合してＵＶランプを用いて脱刷、印刷不良等の異常を管理することもできる。
【００３５】
潜像要素群（６）は、インキで形成するだけでなく、プリンターを用いて形成してもよい。また、潜像要素（９）に当たる画像は、蒲鉾状要素（７）を切削して付与することで形成することもできる。このような切削は、レーザー加工機を用いることで容易に実施することができる。レーザーが照射された蒲鉾状要素（７）は、多くの場合、明暗フリップフロップ性やカラーフリップフロップ性が失われるか、大きく低下するために、本発明で潜像要素（９）を構成するのに必要とする特性を付与することができる。これらのプリンターやレーザー加工機を用いる場合には、一枚一枚異なる情報を与える可変情報を容易に付与できるという特徴がある。以上が、潜像要素群（６）の説明である。
【００３６】
なお、本発明における「色彩」とは、色相、彩度及び明度の概念を含んで色を表したものであり、「異なる色彩」とは、色相、明度又は彩度のうちのどれかが異なるか、又はそれらの組合せが異なることをいう。また、本発明における色差とは、ＣＩＥ１９７６Ｌ＊ａ＊ｂ＊表色系のΔＥで定義するものとする。ＣＩＥ１９７６Ｌ＊ａ＊ｂ＊表色系とは、ＣＩＥ（国際照明委員会）が１９７６年に推奨した色空間のことであり、日本工業規格では、ＪＩＳ  Ｚ  ８７２９に規定されている。色差は、ある２色の色空間中における距離のことであり、ＣＩＥ１９７６Ｌ＊ａ＊ｂ＊表色系での色差は、２色のＬ＊の差、ａ＊の差、及びｂ＊の差をそれぞれ２乗して加え、その平方根をとることで求めることができる。
【００３７】
また、本発明における蒲鉾状要素群（５）及び潜像要素群（６）の所定のピッチ（Ｐ１）は、０．０５ｍｍ以上１．０ｍｍ以下で形成する。０．０５ｍｍ以下のピッチ（Ｐ１）は、蒲鉾状要素（７）に３μｍ以上の盛り上がりを形成する場合には、一般的な印刷で再現することができる画線のピッチ（Ｐ１）としてはほぼ限界のピッチ（Ｐ１）であり、印刷物品質の安定性に欠ける上に、たとえ、０．０５ｍｍ以下のピッチ（Ｐ１）で画線を形成することができた場合でも、ほとんどの場合、出現する潜像画像（１２）の視認性が極端に低くなるため適当ではない。また、逆に、１.０ｍｍ以上のピッチ（Ｐ１）で形成した場合には、潜像画像（１２）として再現することができる画像の解像度が極端に低くなってしまうため、同様に適切ではない。
【００３８】
図６に潜像印刷物（１）を構成するそれぞれの層の重なり合いの位置関係について示す。図６（ａ）に示すのは、基材（２）に貼付された反射層（４）と基材（２）の上に蒲鉾状要素群（５）が重なり、更にその上に潜像要素群（６）が重なる形態である。図６（ｂ）に示すのは、基材（２）に貼付された反射層（４）と基材（２）の上に潜像要素群（６）が重なり、更にその上に蒲鉾状要素群（５）が重なる形態である。図６（ａ）、図６（ｂ）のいずれの層構造であっても本発明の潜像印刷物（１）は、構成可能である。
【００３９】
以上の構造を有する本発明の潜像印刷物（１）の効果について、図７を用いて説明する。図７（ａ）に示すように、本発明の潜像印刷物（１）を拡散反射光下で観察した場合、印刷画像領域（３）内に潜像画像（１２）は出現しない。印刷画像領域（３）全体が特定の色彩で視認されるか、又は不可視である。図７（ｂ）に示すように、本発明の潜像印刷物（１）を正反射光下で観察した場合、ある特定の観察角度（第一の実施の形態においては、やや浅い観察角度）において、基画像（８）とほぼ同じ形状の桜の花びらの潜像画像（１２）が印刷画像領域（３）内に出現する。図７（ｃ）に示すように、正反射光下の、図７（ｂ）の場合と異なる、特定の観察角度（第一の実施の形態においては、やや深い観察角度）において、図７（ｂ）で出現した位置とは別の位置へと潜像画像（１２）が印刷画像領域（３）内を移動する。図７（ｂ）から図７（ｃ）への潜像画像（１２）の移動は、連続的な変化であり、傾ける角度に応じて印刷画像領域（３）内の潜像画像（１２）の位置が変化する。
【００４０】
このような動画効果が生じる原理については、図６（ａ）に示した層構造で潜像印刷物（１）が構成されている場合については、特開第２０１６−２０３４５８号公報に記載のとおりであり、図６（ｂ）に示した層構造で潜像印刷物（１）が構成されている場合については、特開第２０１６−５５４８０号公報に記載のとおりである。以上が本発明の効果の説明である。
【００４１】
なお、本明細書中でいう正反射とは、物質にある入射角度で光が入射した場合に、入射した光の角度とほぼ等しい角度に強い反射光が生じる現象を指し、拡散反射とは、物質にある入射角度で光が入射した場合に、入射した光の角度と異なる角度に弱い反射光が生じる現象を指す。正反射光下で観察するとは、印刷物に入射した光の角度とほぼ等しい反射角度に視点をおいて観察する状態を指し、拡散反射光下で観察するとは、印刷物に入射した光の角度と大きく異なる角度で観察する状態を指す。
【００４２】
ここで、反射層（４）と蒲鉾状要素群（５）のそれぞれの望ましい形状の具体的な関係について説明する。反射層（４）を基準に考えた具体的な例について図８に示す。反射層（４）と蒲鉾状要素群（５）は、それぞれの形状が図８（ａ）に示すように異なっていてもよいし、図８（ｂ）に示すように同じであってもよい。ただし、蒲鉾状要素群（５）の少なくとも一部は、反射層（４）と基材（２）との境界をまたがって構成される必要がある。また、図８（ｃ）に示すように、反射層（４）と基材（２）との境界に面積率の異なる文字や画像を配置し、より剥離が困難で、かつ、デザイン性に優れた構成を用いてもよい。また、図８（ｄ）のように、蒲鉾状要素群（５）をより大きく構成して、反射層（４）が存在する領域にのみ潜像画像（１２）を配置するのではなく、反射層（４）がない領域にも潜像画像（１２）を配置することで、より剥離や偽造が困難な構成としてもよい。
【００４３】
また、第一の実施の形態において潜像画像（１２）が動いて見える動画効果が生じる構成について説明したが、潜像画像（１２）がある画像から全く別の画像へとチェンジする構成を用いてもよい。その場合には、図９に示すような分断画線の構成を用いる。例えば、「Ａ」という文字と「Ｂ」という文字をチェンジさせる効果を得たい場合、「Ａ」の文字と「Ｂ」の文字をそれぞれ所定のピッチ（Ｐ１）で第２の要素幅（Ｗ２）、第３の要素幅（Ｗ３）で分断した潜像要素（９Ａ、９Ｂ）によって、それぞれの潜像要素群（６Ａ、６Ｂ）を形成し、それを重なり合わないように配置して潜像要素群（６）を形成する。
【００４４】
この場合、図１０に示すように、正反射光下の特定の観察角度においては、印刷画像領域（３）に現れる画像は、アルファベットの「Ａ」であり、別の観察角度において印刷画像領域（３）に現れる画像は、アルファベットの「Ｂ」である効果が生じる。
【００４５】
前記の分断画線のより具体的な作製方法については、特許第４６８２２８３号公報に記載の方法を用いればよい。
【００４６】
また、モアレ拡大現象と呼ばれる現象を利用して動画効果を生じさせる潜像要素群（６）の構成と作製方法については、特許第４８４４８９４号公報や特許第５１３１７８９号公報記載の方法を用いればよい。また、蒲鉾状要素（７）や潜像要素（９）を画線ではなく画素とした場合の構成については、特許第４６６０７７５号公報、特許第４６８２２８３号公報、特許第５２００２８４号公報、特許第６０７５２４４号公報及び特許第６１２００８２号公報に記載の構成を用いればよい。また、蒲鉾状要素（７）や潜像要素（９）を直線ではなく、曲線で形成する場合には、特許第６０３２４２３号公報及び特許第６１１２３５７号公報の構成を用いればよい。さらに、より特殊な効果を実現するのであれば、特開２０１６-２０３４５９号公報、特開２０１６-２１０１４９号公報、特開２０１６-２２１８８９号公報及び特開２０１７-５６５７７号公報等を用いてもよい。以上のように、蒲鉾状要素群（５）や潜像要素群（６）の構成については、限定されるものではなく、従来の蒲鉾状要素群（５）の上に潜像要素群（６）を重ねて潜像画像（１２）を発現させる技術で用いられていた構成をそのまま用いることができる。
【００４７】
また、反射層（４）が薄膜干渉フィルムのように透明であって、光透過性を有する場合、図１１に示すように、反射層（４）の下に可視画像（１３）を形成し、拡散反射光下で特定の情報を視認できる構成としてもよい。この場合、可視画像（１３）に一定の色彩制限を加えることによって、図１２（ａ）に示すように拡散反射光下では、可視画像（１３）のみが視認できるが、図１２（ｂ）及び図１２（ｃ）のような正反射光下では、目視上、可視画像（１３）が消失して潜像画像（１２）のみが視認できる、いわゆる画像のチェンジ効果を追加することができる。このような画像のチェンジ効果を付与するためには、可視画像（１３）中の全ての領域の色差がΔＥで５０以下になる色彩制限が必要である。実際には、反射層（４）の反射特性によってこの色差の値は左右されるが、これ以上の色差を設けた場合には、反射層（４）がいかに優れた光学特性を有していたとしても、可視画像（１３）が消失する効果は得られない。チェンジ効果が生じる具体的な構成については、特開第２０１７−１４４５５８号公報に記載の構成を用いればよい。
【００４８】
（第二の実施の形態）
ここで、第二の実施の形態として、剥離行為に対して抑止効果が高まると考えられる潜像要素群（６）の構成の一例について説明する。図１３に示すのは、潜像要素群（６）を基材（２）と反射層（４）の境界にまたがって配置した潜像印刷物（１）である。なお、本例においては、二つの桜の潜像画像（１２）が出現するように構成しているが、基材（２）と反射層（４）の境界にまたがって配置するのであれば、潜像画像（１２）は、一つでも問題ない。配置した潜像要素群（６）のうち、左上に配置した潜像要素群（６Ａ）は、図５で説明したのと同じ画像とし、右下に配置した潜像要素群（６Ｂ）は、図５の潜像要素群（６）の中の潜像要素（９）を、第１の方向（Ｓ１）に対して潜像要素（９）の中心線（第１の方向（Ｓ１）と直行する方向の線）を軸（垂直軸）として、ミラー反転した反転潜像要素（９Ｂ´）が集合した反転潜像要素群（６Ｂ）とする。反転潜像要素（９Ｂ´）の具体的な作製方法については、特許第５２００２８４号公報に記載の方法を用いる。
【００４９】
通常の潜像要素（９Ａ´）で構成された潜像要素群（６）から生み出された潜像画像（１２Ａ）と、潜像要素（９）をミラー反転した反転潜像要素（９Ｂ´）から生み出された潜像画像（１２Ｂ）は、出現する潜像の形状自体が全く同じ桜の花びらであるものの、傾けて観察した場合、その画線構成の違いから同じ位相に配置した場合には、別々の方向に移動する特徴を持っている。
【００５０】
図１３のように潜像要素群（６）を基材（２）と反射層（４）の境界にまたがって配置した場合、図１４のような効果が生じる。図１４（ａ）、図１４（ｂ）及び図１４（ｃ）のように正反射光下で潜像印刷物（１）を傾けながら観察すると、二つの潜像画像（１２Ａ、１２Ｂ）が出現するものの、その形状が大きく変化する。すなわち、二つの潜像画像（１２Ａ、１２Ｂ）が図１４（ａ）のように左右に縮んで見えたり、図１４（ｂ）のように元の大きさに戻ったり、図１４（ｃ）のように左右に広がって見える。
【００５１】
この潜像画像（１２）の拡大縮小作用は、反射層（４）内にある潜像画像（１２）と反射層（４）外にある潜像画像（１２）の移動方向が逆転することによって生じる。図１４の左上の潜像画像（１２Ａ）で説明すると、反射層（４）内の潜像画像（１２）は、一貫して右方向へと移動するが、反射層（４）の外の潜像画像（１２）は、一貫して左方向へと移動する。結果として、観察者には、拡大縮小作用が生じているように見える。
【００５２】
反射層（４）と基材（２）の境界において、潜像画像（１２）の移動方向が逆転する効果は、ユニークであって人目を引く上、単に反射層（４）と基材（２）の境界に潜像要素（９）を配置するだけで生じるため、製造者にとって製造が容易である。一方で、この効果を目にした偽造者が、予備知識なしで再現することは、困難であり、一定の偽造抵抗力を有する。
【００５３】
この現象は、反射層（４）の有無によって潜像画像（１２）の出現の原理が異なるために生じる。具体的には、反射層（４）の有無によって、サンプリングされる潜像要素（９）の位置と、サンプリングされる方向が変化するために生じる。まず、反射層（４）の有無によって、サンプリングされる潜像要素（９）の位置が変化する原理について、図１５を用いて以下に説明する。
【００５４】
蒲鉾状要素（７）の下に反射層（４）がない場合、図１５（ａ）に示すように、光源（１０）から入射した光（１４）は、蒲鉾状要素（７）表面で反射され、蒲鉾状要素（７）上にある左側の潜像要素（９Ｌ）の情報をサンプリングした反射光（１５）となって観察者（１１）に視認される。この形態においては、蒲鉾状要素（７）の内部に侵入した光は、基材（２）によって吸収され、観察者（１１）に届くことはない。よって、観察者（１１）が視認するのは、左側の潜像要素（９Ｌ）の情報となる。
【００５５】
一方、蒲鉾状要素（７）の下に反射層（４）がある場合、図１５（ｂ）に示すように、光源（１０）から入射した光（１４）は、蒲鉾状要素（７）表面で反射される反射光（１５）と、内部に侵入した光は、反射層（４）で反射される反射光（１６）に分かれる。反射層（４）から生じた反射光（１６）は、蒲鉾状要素（７）から生じた反射光（１５）と比較して相対的に著しく強いため、観察者（１１）は、二つの反射光のうち、反射層（４）から生じた反射光（１６）を支配的に視認する。ここで、反射層（４）から生じた反射光（１６）は、蒲鉾状要素（７）上にある右側の潜像要素（９Ｒ）の情報をサンプリングしているため、観察者（１１）が視認するのは、右側の潜像要素（９Ｒ）の情報となる。
【００５６】
以上のように、反射層（４）の有無によってサンプリングされる潜像要素（９）の位置が蒲鉾状要素（７）の中心を挟んで反転した位置へと変化する。次に、反射層（４）の有無によってサンプリングされる方向が変化する原理について、図１６を用いて以下に説明する。
【００５７】
図１６に示すように、光源（１０）の位置が左方向へと移動した場合について考える。なお、この状態は、光源に対して潜像印刷物（１）の傾きを変えた場合と同義である。まず、蒲鉾状要素（７）の下に反射層（４）がない場合、図１６（ａ）に示すように、光源（１０）から入射した光（１４）は、蒲鉾状要素（７）画線表面で反射されるため、蒲鉾状要素（７）表面上の潜像要素（９Ｌ）をサンプリングする反射光（１５）は、右から左側へと移動する。このため、光源（１０）の位置が左方向へと移動した場合、観察者（１１）に届く情報は、蒲鉾状要素（７）上の潜像要素（９Ｌ）を右から左側へと移動する。
【００５８】
次に、蒲鉾状要素（７）の下に反射層（４）がある場合、図１６（ｂ）に示すように、光源（１０）から入射した光（１４）は、蒲鉾状要素（７）内部に侵入して反射層（４）で反射されるため、蒲鉾状要素（７）表面の潜像要素（９Ｒ）をサンプリングする反射光（１６）は、左から右側へと移動する。このため、光源（１０）の位置が左方向へと移動した場合、観察者（１１）に届く情報は、蒲鉾状要素（７）上の潜像要素（９Ｒ）を左から右側へと移動する。
【００５９】
このように、反射層（４）の有無によって蒲鉾状要素（７）表面の潜像要素（９）をサンプリングする反射光（１６）は、そのサンプリング方向が逆転する。以上の原理によって、反射層（４）の有無によって、サンプリングされる潜像要素（９）の位置と、サンプリングされる方向が反転する。
【００６０】
このように、反射層（４）の有無によって、サンプリングされる潜像要素（９）の位置と、サンプリングされる方向が反転する。この現象が、図１４に示したように、反射層（４）と基材（２）の境界において、潜像画像（１２）の移動方向が逆転し、潜像画像（１２）の拡大縮小効果が生じる原理である。
【００６１】
第二の実施の形態において、潜像要素群（６）の構成は、動画効果を生じさせる構成で例示したが、これに限定するものではない。これまで潜像要素群（６）の構成として紹介したいずれの構成を用いてもよい。例えば、図９に示した分断画線の構成を用いた場合、潜像画像（１２）の拡大縮小が生じないが、印刷画像領域（３）の中に反射層（４）の有無によってアルファベットの「Ａ」が出現する領域と、アルファベットの「Ｂ」が出現する領域が同時に現れる効果が生じる。
【００６２】
（第三の実施の形態）
最後に第三の実施の形態として、反射層（４）と基材（２）の境界で潜像画像（１２）の動きが反転することを利用して、更に偽造抵抗力を向上させた形態について説明する。この形態においては、第二の実施の形態と同様に、反射層（４）と基材（２）の境界に潜像画像（１２）を形成するものの、第二の実施の形態とは反対に、傾きを変えて観察した場合に反射層（４）と基材（２）の境界でも潜像画像（１２）の動きが反転せず、動きが完全に同期することを特徴とする。
【００６３】
図１７に示すのは、第三の実施の形態において用いる潜像要素群（６´）である。この潜像要素群（６´）は、図５で示した潜像要素群（６）と異なり、所定のピッチ（Ｐ１）の中に通常の潜像要素（９Ａ´）と、通常の潜像要素（９Ａ´）を垂直軸でミラー反転した反転潜像要素（９Ｂ´）が組み合わさった組合せ要素（９’）から成る。この潜像要素群（６´）の構成と作製方法は、特開２０１６-２０３４５９号公報に記載の方法を用いる。
【００６４】
以上の構成の潜像要素群（６´）を反射層（４）と蒲鉾状要素群（５）の上に重ね合わせて形成する。反射層（４）と蒲鉾状要素群（５）の構成については、第一の実施の形態や第二の実施の形態と同様である。
【００６５】
ここで、本実施の形態においては、蒲鉾状要素群（５）と潜像要素群（６´）の重ね合わせの位置関係について制約がある。具体的には、それぞれの蒲鉾状要素（７）の第１の方向（Ｓ１）の要素幅の中心の垂直軸に、それぞれの組合せ要素（９´）の第１の方向（Ｓ１）の要素幅の中心の垂直軸が重なるように位置合わせする必要がある。以上のような位置関係で蒲鉾状要素群（５）と潜像要素群（６´）を重ね合わせることで、潜像印刷物（１）が完成する。
【００６６】
図１８に潜像印刷物（１）の効果について説明する。図１８（ａ）、図１８（ｂ）、図１８（ｃ）のように正反射光下で潜像印刷物（１）を傾けながら観察すると、二つの潜像画像（１２Ａ、１２Ｂ）が出現するものの、第二の実施の形態とは異なり、その形状は変化せず、それぞれの潜像画像（１２Ａ、１２Ｂ）は、反射層（４）と基材（２）の境界においても同期して動くことを特徴とする。
【００６７】
第二の実施の形態では、反射層（４）と基材（２）の境界に潜像要素（６）を配置することで拡大縮小効果を得ることを目的としたが、この第三の実施の形態では、反射層（４）と基材（２）の境界においても形状を変化させず、同期して動くことを目的としている。
【００６８】
反射層（４）と基材（２）の境界においても形状を変化させず、同期して動く効果が生じる原理について説明する。図１７で示した潜像要素群（６´）は、二種類の異なった潜像要素（９Ａ´、９Ｂ´）の組合せから成る。通常の潜像要素（９Ａ´）は、潜像画像（１２）が連続的に右へ移動する効果を生じさせる構成を有し、反転潜像要素（９Ｂ´）は、潜像画像（１２）が連続的に左へ移動する効果を生じさせる構成を有する。すなわち、所定のピッチ（Ｐ１）の中に右へ動く要素と、左へ動く要素がそれぞれ半分ずつ交互に配置されて成る。
【００６９】
以上のような構成の潜像要素群（６´）を用いて、それぞれの蒲鉾状要素（７）の第１の方向（Ｓ１）の要素幅の中心に、それぞれの組合せ要素（９´）の第１の方向（Ｓ１）の要素幅の中心が重なるように位置合わせした場合、反射層（４）の有無によってサンプリング位置とサンプリング方向が反転するために、反射層（４）がある部分では、蒲鉾状要素（７）表面の左側の潜像要素（９Ａ´）がサンプリングされた場合、反射層（４）がない部分では、蒲鉾状要素（７）表面の右側の潜像要素（９Ｂ´）がサンプリングされる。そして、傾きを変えた場合、反射層（４）がある部分では、蒲鉾状要素（７）表面の情報が左から右へとサンプリングされて、潜像画像（１２）が右へと動く。一方、反射層（４）がない部分では、蒲鉾状要素（７）表面の情報が右から左へ（逆方向）にサンプリングされるため、本来左へと動く構成の反転潜像要素（９Ｂ´）が逆に右へと動くことになる。結果として、反射層（４）の有無にかかわらず、出現した潜像画像（１２）が右へと同期して動く効果が生じるものである。
【００７０】
ユニークな効果が目に留まりやすい第二の実施の形態の効果と異なり、第三の実施の形態のように、反射層（４）と基材（２）の境界において潜像画像（１２）の動きが反転せず、一体となって同期して動く効果は、予備知識のない一般人にとって特に印象に残るものではない。ただし、この効果を再現するためには、前述のような特殊な構成が必要であって、特に、一から潜像印刷物（１）を作り出して偽造品として再現しようとする偽造犯にとっては、非常に偽造の難しい構成となる。第三の実施の形態の潜像印刷物（１）は、偽造抵抗力に特化した形態であるといえる。
【００７１】
第三の実施の形態において、潜像要素群（６）の構成は、動画効果を生じさせる構成で例示したが、これに限定するものではない。これまで潜像要素群（６）の要素の構成として紹介したいずれの構成を用いてもよい。例えば、図１０に示したような分断画線によるチェンジ効果を実現したい場合、図９に示した潜像要素群（６）の要素の構成において、反射層（４）の有無によってアルファベットの「Ａ」の潜像要素（９Ａ）を配置する領域とアルファベットの「Ｂ」の潜像要素（９Ｂ）を配置する領域を反転させればよい。そうすることで、反射層（４）の有無に関わらず、アルファベットの「Ａ」とアルファベットの「Ｂ」が混ざり合って現れることなく、必ずそれぞれの文字が完全な形で単独で出現する。
【００７２】
以下、前述の発明を実施するための形態に従って、具体的に作製した潜像印刷物（１）の実施例について、図１から図７までを用いて詳細に説明するが、本発明は、この実施例に限定されるものではない。
【実施例１】
【００７３】
図１に潜像印刷物（１）を示す。基材（２）は、一般的な白色コート紙（エスプリコートＦＭ 日本製紙（株）製）を用いた。基材（２）の上に反射層（４）として、無色透明の薄膜干渉フィルム（ＭＬＦ  テイジン製）を貼付した。この透明な薄膜干渉フィルムは、拡散反射光下で透明であるが、正反射光下で極めて強い反射光を放ち、明度と色相の両方が大きく変化する、優れた明暗フリップフロップ性及びカラーフリップフロップ性の両方の光学特性を有している。
【００７４】
図１９に実施例１における反射層（４）の明度（Ｌ＊）及び彩度（Ｃ*ａｂ）を示す。反射層（４）の明度は、変角分光光度計（ＧＣＭＳ―４、（株）村上色彩技術研究所製）を使用して測定した。測定条件は、Ｄ６５光源、１０度視野、入射光の入射角４５°で固定して、受光角を０°〜８０°の範囲として可視光領域の分光反射率を測定し、測定した分光反射率からＬ＊ａ＊ｂ＊表色系に基づき、正反射の明度（Ｌ＊）及び彩度（Ｃ＊ａｂ）を算出した。受光角度４５°の正反射の明度（Ｌ＊）は、８００以上、彩度（Ｃ＊ａｂ）は、７００以上の極めて高い値を示し、半値幅は、約１５°であった。
【００７５】
図４に示す蒲鉾状要素群（５）は、蒲鉾状要素（７）を画線で形成し、画線高さ１５μｍ、画線幅０．３ｍｍの蒲鉾状要素（７）をピッチ０．４ｍｍで垂直方向に連続して配置した。この蒲鉾状要素（７）は、ＵＶスクリーン印刷方式により、透明ＵＶスクリーンインキ（ＵＶＡ９１１７、（株）セイコーアドバンス製）を用いて、基材（２）上に貼付した反射層（４）上に形成した。
【００７６】
図５に示す潜像要素群（６）も、潜像要素（９）を画線で形成し、画線幅０．４ｍｍの潜像要素（９）をピッチ０．４ｍｍで第１の方向（Ｓ１）に連続して配置した。潜像要素群（６）は、灰色のＵＶオフセットインキ（ＢＥＳＴ  ＣＵＲＥ  ＵＶ  Ｌ  特練マットグレー、Ｔ＆Ｋ  ＴＯＫＡ（株）製）に酸化チタンを含有したＵＶ白インキを１０％程度混ぜた混合インキを使用して、ＵＶオフセット印刷で蒲鉾状要素群（６）の上に重ねて形成し、実施例１の潜像印刷物（１）を得た。
【００７７】
以上の構成で形成した、本発明の潜像印刷物（１）の効果について、図７を用いて説明する。本発明の潜像印刷物（１）を拡散反射光下で観察した場合、図７（ａ）に示すように、潜像画像（１２）は不可視であり、印刷画像領域（３）全体が紙地の色彩である灰色で視認された。図７（ｂ）に示すように、本発明の潜像印刷物（１）を正反射光下の特定の角度で観察した場合、桜の花びらが潜像画像（１２）として出現した。潜像画像（１２）は、黒色であり、その他の印刷画像領域（３）は、薄膜干渉フィルムの干渉色である桃色から緑色で視認された。続いて、図７（ｃ）に示すように、正反射光下において本発明の潜像印刷物（１）を異なる角度で観察した場合、潜像画像（１２）の位置が連続的に変化する動画的効果が確認できた。
【符号の説明】
【００７８】
１  潜像印刷物
２  基材
３  印刷画像領域
４  反射層
５  蒲鉾状要素群
６、６Ａ、６Ｂ、６´  潜像要素群
７  蒲鉾状要素
８  基画像
９、９Ａ、９Ｂ  潜像要素
９´  組合せ要素
９Ａ´  通常の潜像要素
９Ｂ´  反転潜像要素
１０  光源
１１  観察者
１２、１２Ａ、１２Ｂ  潜像画像
１３  可視画像
１４  入射光
１５  表面からの反射光
１６  内部からの反射光
Ｗ    要素幅
Ｐ    ピッチ
Ｓ１  第１の方向
【図１】
2019166710.tif 000003
【図２】
2019166710.tif 000004
【図３】
2019166710.tif 000005
【図４】
2019166710.tif 000006
【図５】
2019166710.tif 000007
【図６】
2019166710.tif 000008
【図７】
2019166710.tif 000009
【図８】
2019166710.tif 000010
【図９】
2019166710.tif 000011
【図１０】
2019166710.tif 000012
【図１１】
2019166710.tif 000013
【図１２】
2019166710.tif 000014
【図１３】
2019166710.tif 000015
【図１４】
2019166710.tif 000016
【図１５】
2019166710.tif 000017
【図１６】
2019166710.tif 000018
【図１７】
2019166710.tif 000019
【図１８】
2019166710.tif 000020
【図１９】
2019166710.tif 000021